(57)【要約】      （修正有）【課題】かご位置調整ロープの交換時に、上かごと下かごのうち少なくとも一方のかごを仮受け梁を介して建屋で支持すること。【解決手段】建屋の昇降路内に昇降自在に配置された外かごと、前記外かご内に互いに離れて昇降自在に配置された上かご及び下かごと、前記上かごと前記下かごの間隔を可変に調整するかご位置調整ロープと、を備えたダブルデッキエレベーターの改修作業方法であって、上かごと下かごのうち少なくとも一方のかごの下方を、仮受け梁を介して建屋で支持する第１の工程と、外かごを下方に変位させて、上かごと下かごからかご位置調整ロープに作用していた張力を除去する第２の工程と、を含むこと。【選択図】図１３
2019199359.tif 000002
【特許請求の範囲】
【請求項１】
建屋の昇降路内に昇降自在に配置された外かごと、前記外かご内に互いに離れて昇降自在に配置された上かご及び下かごと、前記上かごと前記下かごの間隔を可変に調整するかご位置調整ロープと、を備えたダブルデッキエレベーターの改修作業方法であって、
前記上かごと前記下かごのうち少なくとも一方のかごの下方を、仮受け梁を介して前記建屋で支持する第１の工程と、
前記外かごを下方に変位させて、前記上かごと前記下かごから前記かご位置調整ロープに作用していた張力を除去する第２の工程と、を含むことを特徴とするダブルデッキエレベーターの改修作業方法。
【請求項２】
請求項１に記載のダブルデッキエレベーターの改修作業方法であって、
前記第１の工程では、
前記上かごと前記下かごのうち一方のかごの下方を、前記外かごに固定した支持材で支持し、前記上かごと前記下かごのうち他方のかごの下方を前記仮受け梁で支持することを特徴とするダブルデッキエレベーターの改修作業方法。
【請求項３】
請求項１又は２に記載のダブルデッキエレベーターの改修作業方法であって、
前記仮受け梁は、
前記建屋に固定された建屋梁を介して前記建屋に支持されることを特徴とするダブルデッキエレベーターの改修作業方法。
【請求項４】
請求項１に記載のダブルデッキエレベーターの改修作業方法であって、
前記仮受け梁は、
前記建屋に形成された外かご用ガイドレールに固定された支持材を介して前記建屋に支持されることを特徴とするダブルデッキエレベーターの改修作業方法。
【請求項５】
請求項２に記載のダブルデッキエレベーターの改修作業方法であって、
前記かご位置調整ロープは、その両端部が前記外かごに固定され、その中間部が、前記上かご下の上かごプーリーを介して、かご位置調整用巻上機のかご位置調整駆動シーブに巻き掛けられた後、前記下かご下の下かごプーリーに巻き掛けられおり、
前記第１の工程では、前記かご位置調整用巻上機を駆動して、前記上かごと前記下かごを互いに離れる方向に移動させることを特徴とするダブルデッキエレベーターの改修作業方法。
【請求項６】
請求項１に記載のダブルデッキエレベーターの改修作業方法であって、
前記かご位置調整ロープの一端に接続された新かご位置調整ロープを送り出すと共に、前記かご位置調整ロープの他端を巻き取る第３の工程と、
前記かご位置調整ロープが前記新かご位置調整ロープに交換された後、前記外かごを上方に変位させて、前記上かごと前記下かごの荷重で前記新かご位置調整ロープに張力を掛ける第４の工程と、を含むことを特徴とするダブルデッキエレベーターの改修作業方法。
【請求項７】
請求項６に記載のダブルデッキエレベーターの改修作業方法であって、
前記かご位置調整ロープは、その両端部が前記外かごに固定され、その中間部が、前記上かご下の上かごプーリーを介して、かご位置調整用巻上機のかご位置調整駆動シーブに巻き掛けられた後、前記下かご下の下かごプーリーに巻き掛けられおり、
前記第４の工程では、前記かご位置調整用巻上機を駆動して、前記上かごと前記下かごを互いに近づく方向に移動させることを特徴とするダブルデッキエレベーターの改修作業方法。
【発明の詳細な説明】
【技術分野】
【０００１】
本発明は、上下に配設したかごを備えたダブルデッキエレベーターの改修作業方法に関する。
【背景技術】
【０００２】
近年、ビルの高層化に伴い、輸送能力を大きく向上させるために、上下にかご（乗かご）を配置したダブルデッキエレベーターが設置されている。このダブルデッキエレベーターは、上下かご間にかご位置調整用ロープが張設されており、このかご位置調整用ロープをかご位置調整用巻上機で駆動することで、上下かご間の間隔を可変とすることができる。
【０００３】
この上下かご間の間隔の調整は、上下かご間の間隔を、ダブルデッキエレベーターの乗場のうち隣接する上下乗場間の間隔寸法に合わせるために行われている。すなわち、下かごが１階乗場の着床位置に位置していれば、上かごが２階乗場の着床位置に位置するように、上下かご間の間隔の調整を行っている。
【０００４】
上下かご間の間隔を可変とするために用いるかご位置調整用ロープは、例えば、ダブルデッキエレベーターの経年劣化によって交換される。かご位置調整用ロープを交換するに際しては、例えば、各かごの下側とバッファ台との間に配置されて、非常時に各かごを支持する緩衝器をバッファ台から取外し、一方のかごの下方にジャッキ装置を配置し、他方のかごの下方にジャッキ装置又は支持材を配置し、ジャッキ装置をジャッキアップすることで、ロープの交換作業を円滑に行う交換方法が提案されている（特許文献１参照）。
【先行技術文献】
【特許文献】
【０００５】
【特許文献１】特開２０１８−１２５７５号公報
【発明の概要】
【発明が解決しようとする課題】
【０００６】
しかし、前記従来技術によれば、上下かごの各底面と各緩衝器とのクリアランス（かご下クリアランス）が複数存在する場合、最小値のかご下クリアンスに合わせてジャッキ装置を選定し、クリアランス毎に最適な嵩上げ台をジャッキ装置下に取り付け、ジャッキ装置の取り付け高さを嵩上げする必要がある為、嵩上げ台を追加する手順が追加される。
【０００７】
本発明の目的は、かご位置調整ロープの交換時に、上かごと下かごのうち少なくとも一方のかごを仮受け梁を介して建屋で支持することにある。
【課題を解決するための手段】
【０００８】
前記課題を解決するために、本発明は、建屋の昇降路内に昇降自在に配置された外かごと、前記外かご内に互いに離れて昇降自在に配置された上かご及び下かごと、前記上かごと前記下かごの間隔を可変に調整するかご位置調整ロープと、を備えたダブルデッキエレベーターの改修作業方法であって、前記上かごと前記下かごのうち少なくとも一方のかごの下方を、仮受け梁を介して前記建屋で支持する第１の工程と、前記外かごを下方に変位させて、前記上かごと前記下かごから前記かご位置調整ロープに作用していた張力を除去する第２の工程と、を含むことを特徴とする。
【発明の効果】
【０００９】
本発明によれば、かご位置調整ロープの交換時に、上かごと下かごのうち少なくとも一方のかごを仮受け梁を介して建屋で支持することができる。
【図面の簡単な説明】
【００１０】
【図１】本発明に係る改修作業方法を適用するダブルデッキエレベーターの全体構成を示す概略図。
【図２】本発明の実施例に係るダブルデッキエレベーターの外かごの構成を示す縦断面図。
【図３】図２の下かご下の緩衝器を取外し、支持材が設置される状態を示す縦断面図。
【図４】図３の上かご下に、建屋梁に固定した仮受け梁が設置される状態を示す縦断面図。
【図５】図４の上かご下に、建屋梁に固定した仮受け梁が設置される状態を示す平面図。
【図６】図４の外かごを下に変位させ、かご位置調整用ロープの張力を除去する状態を示す縦断面図。
【図７】図６のかご位置調整用ロープが交換される状態を示す縦断面図。
【図８】図７の新かご位置調整用ロープに張力が掛けられる状態を示す縦断面図。
【図９】図８の上かご下の仮受け梁が取り外される状態を示す縦断面図。
【図１０】図９の上かごと下かごを互いに近づく方向に移動させた状態を示す縦断面図。
【図１１】図２の上かご下に、ガイドレールに固定した支持材に対し、仮受け梁が固定される状態を示す平面図。
【図１２】図４の下かご下に設置した支持材の代替として、外かごの縦枠に固定した仮受け梁にて下かごが支持された状態を示す縦断面図。
【図１３】本発明に係る改修作業方法を説明するための作業手順を示すフローチャート。
【発明を実施するための形態】
【００１１】
まず、本発明に係る改修作業方法を適用するダブルデッキエレベーターの構造を、図面を用いて説明する。
【００１２】
図１は、本発明に係る改修作業方法を適用するダブルデッキエレベーターの全体構成を示す概略図である。
【００１３】
図１において、ダブルデッキエレベーターは、ビル等の建屋（図示せず）にその鉛直方向（垂直方向）に沿って形成された昇降路１と、昇降路１内を昇降する外かご２と、昇降路１内を昇降するつり合いおもり４と、一端が外かご２に連結され、他端がつり合いおもり４に連結される主索３と、昇降路１の上部に設置された機械室５とを備えている。
【００１４】
外かご２とつり合いおもり４は、主索３の両端に連結（吊持）され、主索３の移動に応じて昇降路１内を互いに反対方向に昇降する。機械室５には、駆動装置６と、そらせ車７と、制御装置８とが設置される。
【００１５】
駆動装置６は、外かご２の上方に配置されて、主索３の一部が巻き掛けられ、主索３を駆動して外かご２とつり合いおもり４とを釣瓶式に昇降させる。そらせ車７は、つり合いおもり４上方の、駆動装置６の近傍に配置され、主索３が巻き掛けられる。なお、外かご２は、昇降路１内に設けられた一対の外かご用ガイドレール（図示せず）にガイドされて昇降路１内を昇降する。また、つり合いおもり４は、昇降路１内に設けられたつり合いおもり用ガイドレール（図示せず）にガイドされて昇降路１内を昇降する。
【００１６】
制御装置８は、ダブルデッキエレベーターの運転を統括制御する装置であって、駆動装置６を制御するために、駆動装置６とケーブル３６ａを介して接続される。また、制御装置８は、ケーブル３６ｂを介して、制御装置１８に接続される。制御装置１８は、外かご２の上部に配置されて、制御装置８とケーブル３６ｂを介して情報の送受信を行い、外かご２内の上かご（乗りかご）１２と下かご（乗りかご）１３の昇降を制御する。なお、制御装置８は、例えば、ＣＰＵ（Central  Processing  Unit）、入力装置、出力装置、通信装置および記憶装置を備えたコンピュータ装置で構成される。また、制御装置１８は、例えば、ＣＰＵ、メモリ、入出力インタフェース等を備えたコンピュータ装置で構成される。
【００１７】
上かご１２は、外かご２内部の上方の領域に配置される内かごであり、下かご１３は、外かご２内部の下方の領域に配置される内かごである。上かご１２と下かご１３は、外かご２内部の領域を上下方向（鉛直方向）に変位可能に配置されている。
【００１８】
なお、本実施例では、上方階ｆ１、ｆ２の乗り場階の間隔は、下方階ｆ３、ｆ４の乗り場階の間隔よりも大きく設定されている。例えば、上方階ｆ１、ｆ２の乗り場階の間隔をＨ１、下方階ｆ３、ｆ４の乗り場階の間隔をＨ２とすると、Ｈ１＞Ｈ２である。
【００１９】
図２は、本実施例によるダブルデッキエレベーターの外かご２の構成を示す概略図である。図２において、外かご２は、上部に設けられた上梁２ａ、中間部に設けられた中間梁２ｄ、下部に設けられた下梁２ｅ、及び上梁２ａと中間梁２ｄと下梁２ｅとを接続する一対の縦枠２ｂを備え、略直方体形状の枠体として構成される。
【００２０】
上梁２ａの上部には、かご位置調整用巻上機１１が載置される。かご位置調整用巻上機１１は、かご位置調整駆動シーブ１１ａを備え、かご位置調整駆動シーブ１１ａを正回転又は逆回転させることで、上かご１２と下かご１３を外かご２の内部で上下に変位させる。
【００２１】
中間梁２ｄには、上かご１２が外かご２内で下降しすぎた非常時に、上かご１２を下から支えて、上かご１２と中間梁２ｄとの衝突を緩和するための緩衝器（バッファ）２４ａが備えられている。
【００２２】
下梁２ｅには、下かご１３が外かご２内で下降しすぎた非常時に、下かご１３を下から支えて、下かご１３と下梁２ｅとの衝突を緩和するための緩衝器（バッファ）２４ｂが備えられている。これら緩衝器２４ａ、２４ｂとしては、ばねや油圧ダンパー等を用いることができる。
【００２３】
上かご１２の下部には、２つの上かごプーリー９ａ、９ｂが取り付けられる。下かご１３の下部には、２つの下かごプーリー１０ａ、１０ｂが取り付けられる。上かご１２と下かご１３との間隔は、索状体である、複数本のかご位置調整ロープ１７により変えることができる。
【００２４】
かご位置調整ロープ１７は、その両端部が外かご２に固定され、その中間部が、上かご下の上かごプーリー９ａ、９ｂを介してかご位置調整駆動シーブ１１ａに巻き掛けられた後、下かご下の下かごプーリー１０ａ、１０ｂに巻き掛けられている。具体的には、かご位置調整ロープ１７は、一方の端部が、弾性体１９を介して上梁２ａに取り付けられ、中間部が、上かごプーリー９ａ、９ｂとかご位置調整駆動シーブ１１ａに巻き掛けられている。すなわち、かご位置調整ロープ１７は、その一部が、上かご１２を下方から支持（吊持）するように配置されている。
【００２５】
さらに、かご位置調整ロープ１７は、かご位置調整駆動シーブ１１ａに巻き掛けられた後、下かご１３下方に位置する中間部が、下かごプーリー１０ａ、１０ｂに巻き掛けられ、他方の端部が、中間梁２ｄに弾性体１９を介して固定されている。すなわち、かご位置調整ロープ１７は、その一部が、下かご１３を下方から支持（吊持）するように配置されている。
【００２６】
弾性体１９には、ばね、ゴムまたは弾性樹脂を用いることができ、本実施例では、ばねを用いる。
【００２７】
また、緩衝器２４ａ、２４ｂと対向する上かご１２と下かご１３の底面には、所定以上の強度を有する緩衝器当接部２４１ａ、２４１ｂがそれぞれ設けられており、非常時に緩衝器２４ａと上かご１２とが接触したり、緩衝器２４ｂと下かご１３とが接触したりしても、互いに損傷することは無い。
【００２８】
制御装置１８は、制御装置８の指示に従い、かご位置調整用巻上機１１を回転駆動する。かご位置調整駆動シーブ１１ａは、かご位置調整用巻上機１１の回転駆動に応じて回転する。例えば、かご位置調整駆動シーブ１１ａは、かご位置調整用巻上機１１が正回転駆動した場合、正回転し、かご位置調整用巻上機１１が逆回転駆動した場合、逆回転する。かご位置調整ロープ１７は、かご位置調整駆動シーブ１１ａの回転状態に応じて移動する。このため、例えば、かご位置調整駆動シーブ１１ａが正回転した場合、外かご２の内部で上かご１２と下かご１３が互いに離れる方向に移動し、かご位置調整駆動シーブ１１ａが逆回転した場合、外かご２の内部で上かご１２と下かご１３が互いに近づく方向に移動する。すなわち、かご位置調整駆動シーブ１１ａの回転状態に応じてかご位置調整ロープ１７が移動すると、外かご２の内部で上かご１２と下かご１３が互いに反対方向に移動する。
【００２９】
なお、建屋の中ほどには、昇降路１を間にして、一対の建屋梁１ｃ、１ｄが相対向して配置されており、各建屋梁１ｃ、１ｄは、建屋に固定されている。
【００３０】
次に、本実施例におけるダブルデッキエレベーターの改修作業方法であって、例えば、かご位置調整ロープの交換方法を含む改修作業方法を、図１３のフローチャートを基に図３〜図１２を参照しながら説明する。
【００３１】
作業者（図示せず）は、図１３に示す作業の補助を行う。まず、内かごＯＰＥＮの作業として、作業者の操作を基にかご位置調整用巻上機１１が駆動すると、上かご１２と下かご１３が互いに離れる方向に移動する（Ｓ１）。その後、上かご１２と下かご１３の移動により、上かご１２底部側と下かご１３底部側に作業スペースが確保された場合、図３に示すように、作業者が、下かご下のバッファ台（下梁２ｅ）からバッファ（緩衝器２４ｂ）を取外す（Ｓ２）。
【００３２】
次に、図３に示す通り、作業者が、下かご１３の底面の緩衝器当接部２４１ｂと下梁２ｅとの間に支持材２５を配置し、下かご下のバッファ台（下梁２ｅ）に支持材２５を固定する（Ｓ３）。その後、緩衝器当接部２４１ｂと支持材２５の先端とが接触した場合、作業者が、かご位置調整用巻上機１１の駆動を停止する。
【００３３】
次に、図４、図５に示す通り、上かご下の空間部であって、上かご１２の底部側と中間梁２ｄとの間に、建屋梁１ｃと建屋梁１ｄとを連結する長さを有する、一対の仮受け梁１００を作業者が設置し、各仮受け梁１００の両端側を建屋梁１ｃ、１ｄにそれぞれ固定する（Ｓ４）。なお、外かご用ガイドレール５０ａ、５０ｂは、レールブラケット５１ａ、５１ｂを介して建屋に固定される。
【００３４】
次に、図６に示す通り、主索３が外かご２を下方に変位させる方向に、駆動装置６を駆動し、ロープテンションを緩める（かご位置調整ロープ１７の張力を下げる）（Ｓ５）。駆動装置６の駆動により、外かご２が下方に変位すると、上かご１２の自重（荷重）を仮受け梁１００で支持し、下かご１３の自重（荷重）を支持材２５で支持することになり、上かご１２と下かご１３からかご位置調整ロープ１７に作用していた張力が除去される。かご位置調整ロープ１７に作用する張力が除去された後、作業者が、駆動装置６の駆動を停止する。
【００３５】
次に、新旧ロープ（かご位置調整ロープ）を１本つなぎ合わせ、ロープの送り出し、巻き取りでロープ交換を作業者が行う（Ｓ６）。具体的には、図７に示すように、かご位置調整ロープ１７のうち、下かご１３側に位置するかご位置調整ロープ１７のロープ端部（１本）を弾性体１９から取外し、取外されたかご位置調整ロープ（旧かご位置調整ロープ）１７のロープ端部と、送り出しドラム２９に巻かれている新かご位置調整ロープ２７の端部とを連結するとともに、上かご側に位置するかご位置調整ロープ１７のロープ端部（１本）を弾性体１９から取外し、取外されたかご位置調整ロープ（旧かご位置調整ロープ）１７のロープ端部を巻き取りドラム２８に取り付ける。
【００３６】
この状態とした後、図中矢印の方向に、作業者が、送り出しドラム２９と巻き取りドラム２８を駆動し、新かご位置調整ロープ２７を送り出しドラム２９から送り出しながら、かご位置調整ロープ１７を巻き取りドラム２８に巻き付けて回収することで、新旧ロープ（かご位置調整ロープ）の交換作業が実行される。
【００３７】
そして、作業者が、送り出しドラム２９から送り出された新かご位置調整ロープ２７の後端部を下かご側の弾性体１９に取り付け、送り出しドラム２９から送り出された新かご位置調整ロープ２７の先端部(送り出し初め部位)を上かご側の弾性体１９に取り付ける。これにより、１本目のかご位置調整ロープの新旧交換が完了する。
【００３８】
その後、新かご位置調整ロープ２７の本数分、上記と同様の交換作業が実行される。
【００３９】
次に、図８に示すように、主索３が外かご２を上方に変位させる方向に、作業者が、駆動装置６を駆動し、ロープテンション（新かご位置調整ロープ２７の張力）を掛ける（Ｓ７）。これにより、上かご１２と下かご１３は、その底部側が新かご位置調整ロープ２７によって支持される。その後、作業者が、駆動装置６の駆動を停止する。
【００４０】
次に、図９に示すように、作業者が、上かご下の仮受け梁１００を建屋梁１ｃ、１ｄから取外す（Ｓ８）。
【００４１】
次に、内かごＣＬＯＳＥの作業として、作業者が、かご位置調整用巻上機１１を駆動し、上かご１２と下かご１３を互いに近づく方向に移動させる（Ｓ９）。その後、図１０に示すように、下かご底部側に作業スペースが確保され、下かご１３の底面と支持材２５との間に空間部が形成された場合、作業者が、かご位置調整用巻上機１１の駆動を停止し、下かご下の支持材２５を下梁２ｅから取外す（Ｓ１０）。その後、作業者が、下かご下のバッファ台（下梁２ｅ）にバッファ（緩衝器２４ｂ）を取り付ける（Ｓ１１）。これにより、かご位置調整ロープの交換作業は完了する。
【００４２】
また、ロープの交換作業（かご位置調整ロープ１７を新かご位置調整ロープ２７に交換する交換作業）をする場合、上かご１２を仮受け梁１００で支持し、下かご１３を支持材２５で支持する代わりに、下かご１３を仮受け梁１００で支持し、上かご１２を支持材２５で支持する方法を採用しても同様の効果が得られる。
【００４３】
なお、上記実施例では、図５に示したように、仮受け梁１００の両端側を、建屋梁１ｃ、１ｄに固定したが、仮受け梁１００の両端側を建屋梁１ｃ、１ｄに固定するのが難しい場合は、図１１に示すように、建屋に固定されて、外かご用ガイドレール５０ａ、５０ｂを支持するレールブラケット５１ａ、５１ｂに、中間梁２ｄと交差する方向であって、建屋梁１ｃ、１ｄに平行な支持材１０１ａ、１０１ｂを固定し、仮受け梁１００の両端側を支持材１０１ａ、１０１ｂに固定し、上かご１２を仮受け梁１００を介して支持材１０１ａ、１０１ｂで支持することができる。
【００４４】
また、上記実施例では、図６に示したように、下かご１３を支持する緩衝器２４ｂを取外して、代わりに支持材２５を設ける構成としているが、図１２に示すように、外かご２の一対の縦枠２ｂのうち、下かご１３の底部側に対向する部位に形成された突起やヒンジ等（図示せず）に、仮受け梁１００の両端側を固定し、下かご１３を、下かご下に配置された仮受け梁１００で支持することもできる。この場合、緩衝器２４ｂを取外すことなく、下かご１３を、下かご下に配置された仮受け梁１００で支持することが可能となる。
【００４５】
また、図１２の例とは逆に、外かご２の一対の縦枠２ｂのうち、上かご１２の底部側に対向する部位に形成された突起やヒンジ等（図示せず）に、仮受け梁１００の両端側を固定し、上かご１２を、上かご下に配置された仮受け梁１００で支持し、下かご１３を、建屋梁１ｃ、１ｄに固定した仮受け梁１００で支持する構成でも、同様の効果が得られる。
【００４６】
本実施例によれば、かご位置調整ロープ１７を新かご位置調整ロープ２７に交換する、ロープの交換時に、上かご１２と下かご１３のうち少なくとも一方のかごを仮受け梁１００を介して建屋で支持することができる。このため、ロープの交換時に、ジャッキ装置を設けることなく、かご位置調整ロープ１７に作用していた張力を除去することができ、円滑なロープ交換作業を行うことが可能になる。また、かご位置調整ロープ１７を交換する前後の作業手順は、各かごの底面から緩衝器２４ａ、２４ｂまでのクリアランスに左右されない為、作業手順の統一化を図ることが可能である。さらに、クリアランス毎に嵩上げ台を準備することが不要となり、コスト低減も可能である。
【００４７】
なお、本発明は上記した実施例に限定されるものではなく、様々な変形例が含まれる。例えば、ＣＰＵがプログラムに従って処理を実行することで、駆動装置６やかご位置調整用巻上機１１ａの駆動を制御することも可能である。上記した実施例は本発明を分かりやすく説明するために詳細に説明したものであり、必ずしも説明した全ての構成を備えるものに限定されるものではない。また、実施例の構成の一部について、他の構成の追加・削除・置換をすることが可能である。
【００４８】
また、上記の各構成、機能等は、それらの一部又は全部を、例えば、集積回路で設計する等によりハードウェアで実現してもよい。また、上記の各構成、機能等は、プロセッサがそれぞれの機能を実現するプログラムを解釈し、実行することによりソフトウェアで実現してもよい。各機能を実現するプログラム、テーブル、ファイル等の情報は、メモリや、ハードディスク、ＳＳＤ（Solid  State  Drive）等の記録装置、または、ＩＣ（Integrated  Circuit）カード、ＳＤ（Secure  Digital）メモリカード、ＤＶＤ（Digital  Versatile  Disc）等の記録媒体に記録して置くことができる。
【符号の説明】
【００４９】
１ｃ、１ｄ・・・建屋梁、２・・・外かご、９ａ、９ｂ・・・上かごプーリー、１０ａ、１０ｂ・・・下かごプーリー、１１・・・かご位置調整用巻上機、１１ａ・・・かご位置調整駆動シーブ、１２・・・上かご、１３・・・下かご、１７・・・かご位置調整ロープ、２４ａ、２４ｂ・・・緩衝器、２５・・・支持材、２７・・・新かご位置調整ロープ、５０ａ、５０ｂ・・・外かご用ガイドレール、５１ａ、５１ｂ・・・レールブラケット、１００・・・仮受け梁、１０１ａ、１０１ｂ・・・支持材
【図１】
2019199359.tif 000003
【図２】
2019199359.tif 000004
【図３】
2019199359.tif 000005
【図４】
2019199359.tif 000006
【図５】
2019199359.tif 000007
【図６】
2019199359.tif 000008
【図７】
2019199359.tif 000009
【図８】
2019199359.tif 000010
【図９】
2019199359.tif 000011
【図１０】
2019199359.tif 000012
【図１１】
2019199359.tif 000013
【図１２】
2019199359.tif 000014
【図１３】
2019199359.tif 000015